(57)【要約】【課題】環境温度が変化しても高い精度で焦点検出が可能な位相差方式の焦点検出装置の光学系を提供する。【解決手段】撮影レンズの予定焦点面の後方に配置されたコンデンサーレンズと、その後方にあってコンデンサーレンズと同軸に配置された補助レンズ群と、この補助レンズ群の後方に接近して配置された、複数のレンズを一体に成型した樹脂製のセパレーターレンズと、このセパレーターレンズによって対となる被写体像をセンサー上に再結像させる、焦点検出装置の光学系であって、上記補助レンズ群を、少なくとも、１枚の負の屈折力を有する樹脂補助レンズと、１枚の正の屈折力を有するガラス補助レンズとにより構成した。【選択図】図１
2008286853.tif 000002
【特許請求の範囲】
【請求項１】
撮影レンズの予定焦点面の後方に配置されたコンデンサーレンズと、その後方にあってコンデンサーレンズと同軸に配置された補助レンズ群と、この補助レンズ群の後方に接近して配置された、少なくとも一対のレンズを一体に成型した樹脂製のセパレーターレンズと、このセパレーターレンズによって、上記予定焦点面上の被写体像を分割、センサー上に再結像させる焦点検出装置の光学系であって、
上記補助レンズ群を、少なくとも、１枚の負の屈折力を有する樹脂補助レンズと、１枚の正の屈折力を有するガラス補助レンズとにより構成したこと、を特徴とする焦点検出装置の光学系。
【請求項２】
請求項１記載の焦点検出装置の光学系において、上記補助レンズ群と上記セパレーターレンズとの間には、該セパレーターレンズ毎に対向した開口を有するセパレーターマスクが配置されていて、上記樹脂補助レンズ、ガラス補助レンズ、セパレーターレンズ及びセパレーターマスクは、以下の条件式（１）を満足することを特徴とする焦点検出装置の光学系。
（１）  0.2＜ts・fn／（FIN・m0・qn・P）＜1.1
ただし、
fnは樹脂補助レンズの焦点距離、
Pは対をなすセパレーターレンズ光軸間距離、
qnは温度が３０℃変化した場合の樹脂補助レンズの焦点距離変化率（線膨張率による形状変化と屈折率変化を合わせた値）、
tsは温度が３０℃変化した場合のセパレーターレンズの線膨張率、
FINは上記セパレーターマスクの開口によって決まる焦点検出装置の光学系のＦナンバー、
m0は全系の倍率。
【請求項３】
請求項１または２記載の焦点検出装置の光学系において、上記樹脂補助レンズ及びガラス補助レンズは、以下の条件式（２）を満足することを特徴とする焦点検出装置の光学系。
（２）  -0.1＜1/(m2・m3)＜4.0
ただし、
m2は撮影レンズ側に配置された補助レンズの倍率、
m3はセンサー側に配置された補助レンズの倍率。
【発明の詳細な説明】
【技術分野】
【０００１】
本発明は、焦点検出装置の光学系、より詳細には、例えば一眼レフカメラ等に搭載される位相差方式の焦点検出装置の光学系に関する。
【背景技術】
【０００２】
従来から、一眼レフカメラ等の焦点検出装置としては、撮影レンズの射出瞳の異なる部分を通過した光束をそれぞれ焦点検出光学系のセパレーターレンズ（再結像レンズ）によりラインセンサー上に一対結像させ、各像のラインセンサーの出力信号の関係に基づいて撮影レンズの合焦状態を検出する構成が知られている（特許文献１）。このような焦点検出装置においては、合焦させたいある距離の物体に対してラインセンサー上の一対の（第１及び第２の）像の間隔が所定長のときに合焦、所定長よりも短いときには合焦させたい物体より手前の物体に合焦してしまっている状態（前ピン）、所定長よりも長いときには合焦させたい物体より奥側の物体に合焦してしまっている状態（後ピン）と判定され、合焦位置からのピントずれの量がデフォーカス量として出力される。一対像の間隔は、焦点検出光学系のセパレーターレンズ間隔が変化すると、それに応じて変化する。通常、一対もしくは複数対のセパレーターレンズは、焦点検出装置の小型化、低コスト化などのために樹脂で一体成形されることが多い。
【０００３】
しかしセパレーターレンズとして樹脂レンズを用いた場合には、温度変化によってセパレーターレンズ間隔が変化し、一対のラインセンサー上の第１及び第２の像の間隔が変化して、デフォーカス量にも変化が生じる。そこで、焦点検出装置の温度を検出して、デフォーカス量を検出温度に応じて補正する構成が例えば特許文献２などで提案されている。
【０００４】
一方、温度によるセパレーターレンズの間隔変化を他の部材の温度変化により機械的に相殺する例も提案されている。例えば、樹脂製セパレーターレンズの支持部材の湾曲部のたわみの温度変化により、樹脂製セパレーターレンズとラインセンサーとの間の距離を変化させることで、温度変化にかかわらずデフォーカス量を一定に保つ構成が提案されている（特許文献３）。
【特許文献１】特公平８-１２３２１号公報
【特許文献２】特開昭６０-２３５１１０号公報
【特許文献３】特開平１０-６８８６３号公報
【発明の開示】
【発明が解決しようとする課題】
【０００５】
しかし、従来の焦点検出装置は、通常、上述したように焦点検出光学系を樹脂で一体成形して小型化を図っているため、再結像レンズの近くに温度センサーとその配線のスペースを確保するのは困難となる。温度センサーの情報は焦点検出以外にも使われる場合があり、この場合は、温度センサーと再結像レンズとはある程度の距離をおいて設置される。この温度センサーの情報をデフォーカス量の補正に使用しようとしても、温度センサーの検出部の温度と再結像レンズの温度とが一致しないことがあり、このような温度センサーによる検出温度では焦点検出結果を正しく補正することができない。
【０００６】
樹脂製セパレーターレンズ支持部材の温度変化による形状変化を利用してセパレーターレンズ位置を変化させる方法では、セパレーターレンズとセンサーとの距離変化によるデフォーカス感度が低い場合は、支持部材の変化が大きくなり過ぎて線形性が保てない。またデフォーカス感度が高い場合は、非常に高い取り付け精度が必要となり、外部からの振動の影響も受けやすくなる。
【０００７】
かかる従来技術の課題に鑑みて本発明は、環境温度が変化しても高い精度で焦点検出が可能な位相差方式の焦点検出装置の光学系を提供することを目的とする。
【課題を解決するための手段】
【０００８】
樹脂レンズは温度上昇に対して屈折率が低下し、線膨張により面の曲率が緩くなる性質を持つ。その結果、高い温度ほどレンズのパワーの絶対値は小さくなる。すなわち負のパワーの樹脂レンズは高い温度ほど後ピン方向に焦点位置をシフトさせる。それに対しガラスレンズは正のパワーであるが、温度による変化は樹脂レンズに比べ1/100程度と極めて小さく無視できるレベルである。ゆえに、前記樹脂レンズとガラスレンズからなる補助レンズ群の温度による影響は樹脂レンズのみを考えればよい。一方、樹脂で一体成型されたセパレーターレンズは線膨張率により高い温度ほど一対の再結像レンズの光軸間隔が広がり、前ピン方向に焦点位置をシフトさせる。以上の相対する性質を利用すれば、樹脂セパレーターレンズの温度変化による焦点変動を樹脂補助レンズで補正することが可能である。また、樹脂補助レンズの負パワーはガラスレンズの正パワーで打ち消すことができるため、他に影響を与えることなく樹脂セパレーターレンズの温度変化のみを打ち消すよう適切なパワーを選択可能である。
【０００９】
かかる観点に基づいてなされた本発明は、樹脂レンズとガラスレンズの温度変化による屈折率及び線膨張率の変化の差を利用して、セパレーターレンズの温度変化によるピントズレを補正する焦点調節光学系を提供するものである。
【００１０】
本発明は、撮影レンズの予定焦点面の後方に配置されたコンデンサーレンズと、その後方にあってコンデンサーレンズと同軸に配置された補助レンズ群と、この補助レンズ群の後方に接近して配置された、少なくとも一対のレンズを一体に成型した樹脂製のセパレーターレンズと、このセパレーターレンズによって、上記予定焦点面上の被写体像を分割、センサー上に再結像させる焦点検出装置の光学系であって、上記補助レンズ群を、少なくとも、１枚の負の屈折力を有する樹脂補助レンズと、１枚の正の屈折力を有するガラス補助レンズとにより構成したこと、を特徴としている。
【００１１】
上記補助レンズ群と上記セパレーターレンズとの間には、該セパレーターレンズ毎に対向した開口を有するセパレーターマスクが配置されていて、上記樹脂補助レンズ、ガラス補助レンズ、セパレーターレンズ及びセパレーターマスクは、以下の条件式（１）を満足することを特徴とする焦点検出装置の光学系。
（１）  0.2＜ts・fn／（FIN・m0・qn・P）＜1.1
ただし、
fnは樹脂補助レンズの焦点距離、
Pは対をなすセパレーターレンズ光軸間距離、
qnは温度が３０℃変化した場合の樹脂補助レンズの焦点距離変化率（線膨張率による形状変化と屈折率変化を合わせた値）、
tsは温度が３０℃変化した場合のセパレーターレンズの線膨張率、
FINは上記セパレーターマスクの開口によって決まる焦点検出装置の光学系のＦナンバー、
m0は全系の倍率、
である。
【００１２】
さらに本発明の焦点検出装置の光学系にあっては、上記樹脂補助レンズ、ガラス補助レンズ及びセパレーターレンズが以下の条件式（２）を満足することが好ましい。
（２）  -0.1＜1/(m2・m3)＜4.0
ただし、
m2は撮影レンズ側に配置された補助レンズの倍率、
m3はセンサー側に配置された補助レンズの倍率、
である。
【発明の効果】
【００１３】
本発明によれば、温度変化にかかわらず、焦点位置がシフトしない、焦点検出装置の光学系を得ることができる。
【発明を実施するための最良の形態】
【００１４】
以下添付図面を参照して本発明の実施形態について説明する。本実施形態の光学系は、はいずれも撮影レンズ側より、コンデンサーレンズ１０、補助レンズ群２０、セパレーターマスク（絞り）３０、セパレーターレンズ４０、及びイメージセンサー５０の順に配置されている。補助レンズ群２０はさらに撮影レンズ側より第１補助レンズ２０Ａ及び第２補助レンズ２０Ｂで構成され、一方が樹脂レンズ、他方がガラスレンズである。
【００１５】
ここで、
コンデンサーレンズ１０の温度変化による焦点位置変化；df1
第１補助レンズ２０Ａの温度変化による焦点位置変化；df2
第２補助レンズ２０Ｂの温度変化による焦点位置変化；df3
対をなすセパレーターレンズ４０光軸間距離の温度変化による焦点位置変化；dfS
としたとき、各焦点位置変化df1〜dfSは下記式で表すことができる。
df1＝-(1-1/m1)2・f1・q1
df2＝-(1-1/m2)2・f2・q2・(1/m1)2
df3＝-(1-1/m3)2・f3・q3・(1/m2)2・(1/m1)2
dfS＝-(1-m4)・P・ts・FIN/m0
但し、
m1〜m4はコンデンサーレンズ１０、第１、第２補助レンズ２０Ａ、２０Ｂ及びセパレーターレンズ４０の各倍率、
f1〜f3はコンデンサーレンズ１０、第１、第２補助レンズ２０Ａ、２０Ｂの各焦点距離、
q1〜q3はコンデンサーレンズ１０、第１、第２補助レンズ２０Ａ、２０Ｂの各レンズの温度上昇（30℃上昇）による焦点距離変化率（線膨張率による形状変化と屈折率変化を合わせた値）である。
以上の各焦点位置変化df1〜dfSの和が一般的な環境温度内(20±30℃程度)で十分小さければ、温度変化にかかわらず焦点位置変化が小さい。すなわち、環境温度20±30℃内において下記の温度と焦点位置変化に関する条件（Ａ）を満足すればよい。
（Ａ）  ｜df1+df2+df3+dfS｜＜α
【００１６】
ここで、αは撮像素子のピクセルサイズなどから決まる焦点深度幅などが考えられ、許容量としては例えば一眼レフカメラの場合、撮影レンズのＦナンバーによっても変化するが、一般的には0.02mm乃至0.05mm程度とされる。つまり、各要素の和が0.05未満、好ましくは0.02未満であればよい。なお、温度変化による焦点位置変化を起こす要因としては、他にもこれらの光学部品を保持する保持部材の伸縮、セパレーターレンズ４０自体の焦点距離変化などが考えられるが、これらの要因による影響は比較的小さい場合が多いので説明を省略した。しかし、無視できない場合はこれを考慮した補正をしても本件の内容を逸脱するものではない。
【００１７】
本発明の焦点検出装置の光学系は、条件式（１）を満足することで、上記条件（Ａ）を満足させることができる。
【００１８】
条件式（１）は、セパレーターレンズの温度による光軸間距離変化を補正するための樹脂補助レンズのパワーを規定する条件である。
（１）  0.2＜ts・fn／（FIN・m0・qn・P）＜1.1
ただし、
fnは樹脂補助レンズの焦点距離、
Pは一対のセパレーターレンズ光軸間距離、
qnは樹脂補助レンズの温度上昇による焦点距離変化率（線膨張率による形状変化と屈折率変化を合わせた値）、
tsはセパレーターレンズの温度上昇による線膨張率、
FINは一対のセパレーターマスクの各中心を通過する主光線によって決まる焦点検出装置の光学系のＦナンバー、
m0は全系の倍率である。
【００１９】
温度変化による樹脂補助レンズのパワーとセパレーターレンズの光軸間隔の変化は、使用される樹脂材料の線膨張率及び屈折率変化に直接影響を受けるため、条件式（１）にはこれらの値がパラメーターとして必要となる。また、セパレーターレンズの光軸間隔が同じでも焦点位置の検出精度を決める一対のセパレーターマスクの開口によって決まる焦点検出装置に入射する際のＦナンバーと、全系の倍率が異なればデフォーカス量は異なる。そのためこれらの値も必要なパラメーターである。
ただし、樹脂補助レンズが光学系の中で設置される位置は設計条件によりある程度の幅を持つこと、また比較的温度による変化は少ないがコンデンサーレンズの影響も考慮して、条件式（１）の範囲を決定した。よって、条件式（１）の上限を超えて大きくなると樹脂補助レンズのパワーが不足して、合焦していても前ピン判定となり、条件式（１）の下限を超えるとパワーが過大となって、合焦していても後ピン判定となるので、逆に合焦判定が出てもピントボケとなる。
【００２０】
条件式（２）は、光学系の大きさと明るさに関する条件である。
（２）  -0.1＜1/(m2・m3)＜4.0
ただし、
m2は撮影レンズ側に配置された補助レンズの倍率、
m3はセンサー側に配置された補助レンズの倍率である。
【００２１】
条件式（２）において、1/(m2・m3)は補助レンズの合成倍率の逆数である。この値が1未満の場合、補助レンズの合成パワーは正の値をとる。さらに補助レンズの合成倍率の逆数1/(m2・m3)が０の場合は補助レンズとセパレーターレンズの間はアフォーカル状態となり、予定焦点面の中心（光軸上）を通過する光束は光軸と平行になりセパレーターレンズに入射する。ここで、一対のセパレーターレンズの光軸間隔をＰとおき、ラインセンサー上の合焦時の第１及び第２の像の間隔(基線長)をＬとすると、
P≒L
となる。補助レンズの合成倍率の逆数1/(m2・m3)が０以下の値をとる場合は、
P＞L
となり、一対の再結像レンズの光軸間隔Ｐの増大を招き、ひいては光学系全体が大きくなる。よって、条件式（２）の下限は小型化のための条件である。
一方、補助レンズの合成倍率の逆数1/(m2・m3)が１を超えると補助レンズの合成パワーは負の値をとる。光学系の小型化には有利だが、予定焦点面の中心（光軸上）を通過する光束は発散作用を受けセパレーターレンズに入射する角度が増大する。この結果、
P≪L
となり、一対の再結像レンズの光軸間隔Ｐが狭められ、となり合う一対のセパレーターレンズの間隔が狭まり、各セパレーターレンズの有効径が小さくなってセンサー上に像を形成する光束径が十分確保できなくなる。そのためセンサーに到達する光量が減り十分な明るさが確保できない。よって、条件式（２）の上限は明るさを確保するための条件である。
【００２２】
表１及び表４に実施例の数値データを示す。表５には各実施例の諸元データと、環境温度が基準20℃から30℃上昇した後の焦点位置変化量及び条件式（１）、（２）の値を示した。表５より、各実施例は温度が上昇しても焦点位置がほとんど変化していないことが分かる。
【００２３】
次に、具体的な実施例を示す。レンズ構成図及び表中、ｒは曲率半径、ｄはレンズ厚またはレンズ間隔、Ｎdはｄ線の屈折率、νはアッベ数を示す。
また、回転対称非球面は次式で定義される。
x=cy2/[1+[1-(1+K)c2y2]1/2]+A4y4+A6y6+A8y8+A10y10+A12y12・・・
（但し、cは曲率（１/ｒ）、ｙは光軸からの高さ、Ｋは円錐係数、Ａ4、Ａ6、Ａ8、・・・・・は各次数の非球面係数）
【実施例１】
【００２４】
図１は、本発明の焦点検出装置の光学系の第１実施例のレンズ構成図を示している。表１はその数値データである。この光学系は、撮影レンズ側より、コンデンサーレンズ１０、補助レンズ群２０（第１、第２補助レンズ２０Ａ、２０Ｂ）、セパレーターマスク（絞り）３０、セパレーターレンズ４０、及びイメージセンサー５０の順に配置されている。コンデンサーレンズ１０は樹脂レンズ、第１補助レンズ２０Ａは樹脂レンズ、第２補助レンズ２０Ｂはガラスレンズ、セパレーターレンズ４０は樹脂レンズである。なお、符号Ｉ1は図示しない撮影レンズによる被写体の一次結像面（予定焦点面）である。
<表１>
面No.        r         d         Nd       ν
0  一次結像面      4.00
1      40.000      2.00    1.49176  /  57.4
2*     -7.155     11.50
3        ∞        1.00    1.49176  /  57.4
4       6.000      0.10
5       6.025      1.00    1.48749  /  70.2
6        ∞        0.04
7        ∞        1.00    1.49176  /  57.4
8      -1.500      3.52
*は回転対称非球面。
非球面データ（表示していない非球面係数は0.00である。）；
面No. 2 ： K=-2.50
【実施例２】
【００２５】
図２は、本発明の焦点検出装置の光学系の第２実施例のレンズ構成図を示している。表２はその数値データである。この光学系は、撮影レンズ側より、コンデンサーレンズ１０、補助レンズ群２０（第１、第２補助レンズ２０Ａ、２０Ｂ）、セパレーターマスク（絞り）３０、セパレーターレンズ４０、及びイメージセンサー５０の順に配置されている。コンデンサーレンズ１０は樹脂レンズ、第１補助レンズ２０Ａはガラスレンズ、第２補助レンズ２０Ｂは樹脂レンズ、セパレーターレンズ４０は樹脂レンズである。
<表２>
面No.        r         d        Nd        ν
0  一次結像面      5.00
1*      9.700      2.00    1.52538  /  56.3
2        ∞       17.00
3      15.000      1.50    1.58267  /  46.4
4      -7.700      0.10
5      -7.770      1.00    1.58547  /  29.9
6        ∞        0.04
7        ∞        1.00    1.52538  /  56.3
8      -1.700      3.24
*は回転対称非球面。
非球面データ（表示していない非球面係数は0.00である。）；
面No. 1 ： K=-0.50
【実施例３】
【００２６】
図３は、本発明の焦点検出装置の光学系の第３実施例のレンズ構成図を示している。表３はその数値データである。この光学系は、撮影レンズ側より、コンデンサーレンズ１０、補助レンズ群２０（第１、第２補助レンズ２０Ａ、２０Ｂ）、セパレーターマスク（絞り）３０、セパレーターレンズ４０、及びイメージセンサー５０の順に配置されている。コンデンサーレンズ１０は樹脂レンズ、第１補助レンズ２０Ａは樹脂レンズ、第２補助レンズ２０Ｂはガラスレンズ、セパレーターレンズ４０は樹脂レンズである。
<表３>
面No.        r         d         Nd        ν
0  一次結像面      5.00
1*      7.200      2.00    1.52538  /  56.3
2        ∞       12.00
3      -6.000      1.00    1.49176  /  57.4
4      25.000      0.10
5      25.107      1.00    1.64769  /  33.8
6        ∞        0.04
7        ∞        1.00    1.52538  /  56.3
8      -1.400      3.60
*は回転対称非球面。
非球面データ（表示していない非球面係数は0.00である。）；
面No. 1 ： K=-0.50
【実施例４】
【００２７】
図４は、本発明の焦点検出装置の光学系の第４実施例のレンズ構成図を示している。表５はその数値データである。この光学系は、撮影レンズ側より、コンデンサーレンズ１０、補助レンズ群２０（第１、第２補助レンズ２０Ａ、２０Ｂ）、セパレーターマスク（絞り）３０、セパレーターレンズ４０、及びイメージセンサー５０の順に配置されている。コンデンサーレンズ１０は樹脂レンズ、第１補助レンズ２０Ａは樹脂レンズ、第２補助レンズ２０Ｂはガラスレンズ、セパレーターレンズ４０は樹脂レンズである。
<表４>
面No.        r         d         Nd        ν
0  一次結像面      5.00
1*      9.700      2.00    1.52538  /  56.3
2        ∞       15.50
3      -4.200      2.00    1.58547  /  29.9
4        ∞        1.00
5        ∞        2.00    1.57099  /  50.8
6      -5.162      0.10
7        ∞        1.00    1.52538  /  56.3
8      -2.400      4.57
*は回転対称非球面。
非球面データ（表示していない非球面係数は0.00である。）；
面No. 1 ： K=-0.50
【００２８】
各実施例１乃至４における諸元及び温度変化（+30℃）後の焦点位置変化を、表５に表した。
<表５>
2008286853.tif 000003
【００２９】
表５から明らかなように、実施例１、２、３及び４は全て、条件式（１）及び（２）を満足している。また各レンズの温度変化の合計値である条件（Ａ）の数値からも温度変化にかかわらず焦点位置変化が非常に小さくなっていることが分かる。
【図面の簡単な説明】
【００３０】
【図１】本発明の焦点検出装置の光学系の実施例１のレンズ構成図である。
【図２】本発明の焦点検出装置の光学系の実施例２のレンズ構成図である。
【図３】本発明の焦点検出装置の光学系の実施例３のレンズ構成図である。
【図４】本発明の焦点検出装置の光学系の実施例４のレンズ構成図である。
【符号の説明】
【００３１】
１０  コンデンサーレンズ
２０  補助レンズ群
２０Ａ  第１補助レンズ
２０Ｂ  第２補助レンズ
３０  セパレーターマスク（絞り）
４０  セパレーターレンズ
５０  イメージセンサー
【図１】
2008286853.tif 000004
【図２】
2008286853.tif 000005
【図３】
2008286853.tif 000006
【図４】
2008286853.tif 000007